(57)【要約】      （修正有）【課題】複数の直管ランプを簡易に集合包装できるランプ保持体を提供する。【解決手段】複数の直管ランプ４００を集合包装する際に用いられるランプ保持体１００であって、各々に、複数の直管ランプ４００の各々の長手方向の端部が収容される複数の収容部と、少なくとも隣り合う収容部の間に形成された仕切り部とを有し、収容部は、直管ランプ４００の管軸と交差する開口面である第１開口面と、第１開口面に連続するとともに第１開口面と交差する開口面である第２開口面とを有し、仕切り部は、表面が第２開口面と同一面の平面である第１仕切り部を有する。【選択図】図１
2015077989.tif 000002
【特許請求の範囲】
【請求項１】
複数の直管ランプを集合包装する際に用いられるランプ保持体であって、
前記複数の直管ランプと一対一に対応しており、各々に前記直管ランプの長手方向の端部が収容される複数の収容部と、
少なくとも隣り合う前記収容部の間に形成された仕切り部とを有し、
前記収容部は、前記直管ランプの管軸と交差する開口面である第１開口面と、前記第１開口面に連続するとともに前記第１開口面と交差する開口面である第２開口面とを有し、
前記仕切り部は、表面が前記第２開口面と同一面の平面である第１仕切り部を有する
ランプ保持体。
【請求項２】
前記直管ランプは、長手方向の端部に設けられた口金を有し、
前記収容部は、さらに、前記口金の本体部における前記長手方向の端面を受ける第１平面部を有する
請求項１に記載のランプ保持体。
【請求項３】
さらに、前記第１平面部の背面に、第３平面部が形成されている
請求項２に記載のランプ保持体。
【請求項４】
前記収容部は、さらに、前記第１平面部に連続するとともに前記第１平面部から前記口金側とは反対側に折れ曲がるように形成された第２平面部を有し、
前記第２平面部は、前記第２開口面を臨むように形成されており、
前記第１平面部と前記第２平面部とを跨ぐようにスリットが形成されており、
前記スリットには、前記第２開口面を介して前記本体部から突出する口金ピンが挿通される
請求項２又は３に記載のランプ保持体。
【請求項５】
１つの前記収容部には前記スリットが１つ設けられており、
１つの前記本体部には前記口金ピンが一対設けられており、
前記スリットは、鉛直下方に向かって長尺状に形成されており、
一対の前記口金ピンは、当該一対の口金ピンの並び方向と前記スリットの長手方向とが一致するように前記スリットに挿入される
請求項３に記載のランプ保持体。
【請求項６】
前記仕切り部は、さらに、表面が前記第１開口面と同一面の平面である第２仕切り部を有し、
前記直管ランプは、隣り合う前記第２仕切り部の間に位置する
請求項１〜５のいずれか１項に記載のランプ保持体。
【請求項７】
隣り合う前記第２仕切り部の各々は、前記第１開口面の幅を狭めるように互いに突出するように形成された突出部を有する
請求項６に記載のランプ保持体。
【請求項８】
前記複数の収容部は、連通している
請求項１〜７のいずれか１項に記載のランプ保持体。
【請求項９】
当該ランプ保持体は、一枚の板状部材を折り曲げることによって所定形状に形成されている
請求項１〜８のいずれか１項に記載のランプ保持体。
【請求項１０】
請求項１〜９のいずれか１項に記載の前記ランプ保持体を備える集合包装体であって、
長尺状の箱体と、
前記箱体内における当該箱体の長手方向の端部に配置された一対の前記ランプ保持体と、
長手方向の両端部が一対の前記ランプ保持体に保持される複数の直管ランプとを備える
集合包装体。
【請求項１１】
前記一対の前記ランプ保持体が多段積みされている
請求項１０に記載の集合包装体。
【請求項１２】
一対の前記ランプ保持体は、同一形状である
請求項１０又は１１に記載の集合包装体。
【請求項１３】
さらに、前記複数の直管ランプを覆う板状の緩衝材を備える
請求項１０〜１２のいずれか１項に記載の集合包装体。
【請求項１４】
さらに、前記複数の直管ランプを包囲する緩衝材を備える
請求項１０〜１２のいずれか１項に記載の集合包装体。
【請求項１５】
前記直管ランプの筐体は、ガラスによって構成されている
請求項１３又は１４に記載の集合包装体。
【発明の詳細な説明】
【技術分野】
【０００１】
本発明は、複数の直管ランプを保持するためのランプ保持体、及び、このランプ保持体を用いて複数の直管ランプが集合包装された集合包装体に関する。
【背景技術】
【０００２】
天井照明装置等の照明用光源として、直管形蛍光ランプや直管形ＬＥＤランプ等の直管ランプ（直管形ランプ）が用いられる。
【０００３】
直管ランプを搬送する際、直管ランプを個包装することが知られている（特許文献１）。また、複数の直管ランプを一度に搬送するために、複数の直管ランプを集合包装することも知られている。
【先行技術文献】
【特許文献】
【０００４】
【特許文献１】特開２００５−０２２７５１号公報
【発明の概要】
【発明が解決しようとする課題】
【０００５】
複数の直管ランプを集合包装する場合、複数の直管ランプを個包装せずに集合包装すると、搬送時に直管ランプ同士がぶつかり合って直管ランプが破損するおそれがある。一方、複数の直管ランプを個包装した上で集合包装すると、部品点数が増加するとともに包装作業が煩雑化して、材料コスト及び工数コストが増加する。
【０００６】
本発明は、このような課題を解決するためになされたものであり、簡易な構成で複数の直管ランプの集合包装を可能とするランプ保持体及び集合包装体を提供することを目的とする。
【課題を解決するための手段】
【０００７】
上記目的を達成するために、本発明に係るランプ保持体の一態様は、複数の直管ランプを集合包装する際に用いられるランプ保持体であって、前記複数の直管ランプと一対一に対応しており、各々に前記直管ランプの長手方向の端部が収容される複数の収容部と、少なくとも隣り合う前記収容部の間に形成された仕切り部とを有し、前記収容部は、前記直管ランプの管軸と交差する開口面である第１開口面と、前記第１開口面に連続するとともに前記第１開口面と交差する開口面である第２開口面とを有し、前記仕切り部は、表面が前記第２開口面と同一面の平面である第１仕切り部を有することを特徴とする。
【０００８】
また、本発明に係るランプ保持体の一態様において、前記直管ランプは、長手方向の端部に設けられた口金を有し、前記収容部は、さらに、前記口金の本体部における前記長手方向の端面を受ける第１平面部を有する、としてもよい。
【０００９】
また、本発明に係るランプ保持体の一態様において、さらに、前記第１平面部の背面に、第３平面部が形成されていてもよい。
【００１０】
また、本発明に係るランプ保持体の一態様において、前記収容部は、さらに、前記第１平面部に連続するとともに前記第１平面部から前記口金側とは反対側に折れ曲がるように形成された第２平面部を有し、前記第２平面部は、前記第２開口面を臨むように形成されており、前記第１平面部と前記第２平面部とを跨ぐようにスリットが形成されており、前記スリットには、前記第２開口面を介して前記本体部から突出する口金ピンが挿通される、としてもよい。
【００１１】
また、本発明に係るランプ保持体の一態様において、１つの前記収容部には前記スリットが１つ設けられており、１つの前記本体部には前記口金ピンが一対設けられており、前記スリットは、鉛直下方に向かって長尺状に形成されており、一対の前記口金ピンは、当該一対の口金ピンの並び方向と前記スリットの長手方向とが一致するように前記スリットに挿入される、としてもよい。
【００１２】
また、本発明に係るランプ保持体の一態様において、前記仕切り部は、さらに、表面が前記第１開口面と同一面の平面である第２仕切り部を有し、前記直管ランプは、隣り合う前記第２仕切り部の間に位置する、としてもよい。
【００１３】
また、本発明に係るランプ保持体の一態様において、隣り合う前記第２仕切り部の各々は、前記第１開口面の幅を狭めるように互いに突出するように形成された突出部を有する、としてもよい。
【００１４】
また、本発明に係るランプ保持体の一態様において、前記複数の収容部は、連通していてもよい。
【００１５】
また、本発明に係るランプ保持体の一態様において、当該ランプ保持体は、一枚の板状部材を折り曲げることによって所定形状に形成されていてもよい。
【００１６】
また、本発明に係る集合包装体の一態様は、上記いずれかに記載のランプ保持体の一態様を備える集合包装体であって、長尺状の箱体と、前記箱体内における当該箱体の長手方向の端部に配置された一対の前記ランプ保持体と、長手方向の両端部が一対の前記ランプ保持体に保持される複数の直管ランプとを備えることを特徴とする。
【００１７】
また、本発明に係る集合包装体の一態様において、前記一対の前記ランプ保持体が多段積みされていてもよい。
【００１８】
また、本発明に係る集合包装体の一態様において、一対の前記ランプ保持体は、同一形状であってもよい。
【００１９】
また、本発明に係る集合包装体の一態様において、さらに、前記複数の直管ランプを覆う板状の緩衝材を備えていてもよい。
【００２０】
あるいは、本発明に係る集合包装体の一態様において、さらに、前記複数の直管ランプを包囲する緩衝材を備えていてもよい。
【００２１】
また、本発明に係る集合包装体の一態様において、前記直管ランプの筐体は、ガラスによって構成されている、としてもよい。
【発明の効果】
【００２２】
本発明によれば、複数の直管ランプを簡単に集合包装することができる。
【図面の簡単な説明】
【００２３】
【図１】本発明の実施の形態１に係る集合包装体の斜視図
【図２】本発明の実施の形態１に係る集合包装体の平面図
【図３】図２のＡ−Ａ’線における本発明の実施の形態１に係る集合包装体の断面図
【図４Ａ】図２の破線で囲まれる領域Ｘの拡大図
【図４Ｂ】図２の破線で囲まれる領域Ｙの拡大図
【図５Ａ】本発明の実施の形態１に係るランプ保持体を前面斜め上方から見たときの斜視図
【図５Ｂ】本発明の実施の形態１に係るランプ保持体を背面斜め上方から見たときの斜視図
【図５Ｃ】本発明の実施の形態１に係るランプ保持体の上面図
【図５Ｄ】本発明の実施の形態１に係るランプ保持体の正面図
【図６】本発明の実施の形態１に係るランプ保持体に第１口金を収納するときの様子を示す図
【図７】本発明の実施の形態１に係るランプ保持体に第２口金を収納するときの様子を示す図
【図８】本発明の実施の形態１に係るランプ保持体の展開図
【図９】本発明の実施の形態１に係るランプ保持体の作製手順を説明するための図
【図１０】本発明の実施の形態１に係るランプ保持体の作製手順を説明するための図
【図１１】本発明の実施の形態２に係るランプ保持体の展開図
【図１２】本発明の実施の形態１に係るランプ保持体を作製する際の一部の工程を示す図
【図１３】変形例１に係る集合包装体の構成を示す平面図
【図１４Ａ】変形例２に係る集合包装体の構成を示す平面図
【図１４Ｂ】変形例２に係る集合包装体において、直管ランプを緩衝材で覆うときの様子を示す断面図
【発明を実施するための形態】
【００２４】
以下、本発明の実施の形態について、図面を参照しながら説明するが、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００２５】
なお、各図は、模式図であり、必ずしも厳密に図示されたものではない。また、各図において、実質的に同一の構成に対しては同一の符号を付しており、重複する説明は省略又は簡略化する。
【００２６】
（実施の形態１）
まず、本発明の実施の形態１に係るランプ保持体１００及び集合包装体１の構成について説明する。
【００２７】
［集合包装体］
図１及び図２は、本発明の実施の形態１に係る集合包装体１の斜視図及び平面図であり、天面板が開いた状態を示している。また、図３は、図２のＡ−Ａ’線における同集合包装体１の断面図（天面板が閉じた状態の断面図）である。また、図４Ａ及び図４Ｂは、それぞれ図２の破線で囲まれる領域Ｘ、Ｙの拡大図である。
【００２８】
図１及び図２に示すように、本実施の形態に係る集合包装体１は、一対のランプ保持体１００及び２００と、長尺状の箱体３００と、箱体３００内に収納された複数の直管ランプ４００とを備える。
【００２９】
一対のランプ保持体１００及び２００は、箱体３００内における当該箱体３００の長手方向の端部に配置されている。本実施の形態において、ランプ保持体１００は、背面が箱体３００の側面板３２１に当接しており、両側面が箱体３００の側面板３２３及び３２４に当接している。また、ランプ保持体２００は、背面が箱体３００の側面板３２２に当接しており、両側面が箱体３００の側面板３２３及び３２４に当接している。つまり、一対のランプ保持体１００及び２００の形状が箱体３００に丁度嵌り合う形状となっている。
【００３０】
一対のランプ保持体１００及び２００は、複数の直管ランプ４００を保持する保持部材である。図１に示すように、ランプ保持体１００及び２００は、例えば、５本の直管ランプ４００を保持することができる。
【００３１】
また、一対のランプ保持体１００及び２００は、多段積みされており、本実施の形態では、図３に示すように、２段積みされている。つまり、一対のランプ保持体１００及び２００を１組の保持体セットとすると、集合包装体１では、２組の保持体セットが用いられている。したがって、図３に示すように、箱体３００内に合計１０本の直管ランプ４００が収納されている。
【００３２】
なお、ランプ保持体１００とランプ保持体２００とは、同一形状である。つまり、図１では、同じ形状のランプ保持体を４つ用いている。
【００３３】
箱体３００は、例えば、所定形状の一枚の段ボールシート（段ボール材）を折り曲げることによって形成された略直方体状の段ボール箱（外装箱）である。図１及び図２に示すように、本実施の形態における箱体３００は、矩形状の底面板３１０と、底面板３１０の４辺の各々から立設して枠状に繋げられた矩形状の側面板３２１〜３２４と、各側面板３２１〜３２４に接続された矩形状の天面板３３１〜３３４とによって構成されている。
【００３４】
直管ランプ４００は、例えば直管形蛍光ランプや直管形ＬＥＤランプであり、一対のランプ保持体１００及び２００によって保持されている。具体的には、直管ランプ４００の長手方向（管軸方向）の一方の端部がランプ保持体１００に保持されており、直管ランプ４００の長手方向の他方の端部がランプ保持体２００に保持されている。なお、本実施の形態では、直管ランプ４００としてＬＥＤランプを用いている。
【００３５】
図２に示すように、直管ランプ４００は、長尺状の筐体４１０と、筐体４１０の長手方向の両端部に設けられた一対の第１口金４２０及び第２口金４３０とを有している。
【００３６】
筐体４１０は、直管状（円筒状）の透光性部材である。直管ランプ４００がＬＥＤランプである場合、筐体４１０は、例えば、ガラスからなるガラス管、又は、アクリル（ＰＭＭＡ）やポリカーボネート（ＰＣ）等の樹脂材料からなるプラスチック管である。この場合、筐体４１０内には、基板上に複数のＬＥＤが実装されたＬＥＤモジュールが配置されている。一方、直管ランプ４００が蛍光ランプである場合、筐体４１０は、例えばガラス管である。
【００３７】
図４Ａに示すように、第１口金４２０は、略有底円筒形状の本体部４２１と、本体部４２１の端面（外底面）から突出するように設けられた口金ピン４２２とを有する。
【００３８】
また、図４Ｂに示すように、第２口金４３０は、略有底円筒形状の本体部４３１と、本体部４３１の端面（外底面）から突出するように設けられた一対の口金ピン４３２とを有する。
【００３９】
なお、第１口金４２０及び第２口金４３０は、例えばＧＸ１６ｔ−５口金（Ｌ形ピン口金）又はＧ１３口金等である。本実施の形態では、直管ランプ４００はＬＥＤランプであるので、第１口金４２０及び第２口金４３０の一方又は両方が給電用口金となる。また、本体部４２１及び４３１は、ＰＢＴ（ポリブチレンテレフタレート）等の樹脂製であってもよいし、金属製であってもよい。また、口金ピン４２２及び４３２は、例えば金属製の導電ピンであり、目的に応じて１本であってもよいし、２本であってもよい。口金ピン４２２及び４３２が給電ピンとなる場合は２本である。
【００４０】
［ランプ保持体］
次に、ランプ保持体１００の詳細な構造について、図５Ａ〜図５Ｄを用いて説明する。図５Ａ〜図５Ｄは、本発明の実施の形態１に係るランプ保持体１００の構成を示す図であり、それぞれ、図５Ａは前面斜め上方から見たときの斜視図、図５Ｂは背面斜め上方から見たときの斜視図、図５Ｃは上面図、図５Ｄは正面図である。
【００４１】
なお、ランプ保持体２００の構造はランプ保持体１００の構造と全く同じであるので、ランプ保持体２００の構造の説明は省略するが、ランプ保持体１００の各部位の機能については、ランプ保持体２００の機能としても説明する。
【００４２】
ランプ保持体１００は、複数の直管ランプ４００（図１）を集合包装する際に用いられる保持部材であって、図５Ａ〜図５Ｄに示すように、複数の収容部１１０と、複数の仕切り部１２０とを備える。複数の収容部１１０は、複数の仕切り部１２０によって区画及び分離されており、収容部１１０と仕切り部１２０とは交互に形成されている。本実施の形態において、収容部１１０は５つ形成されており、仕切り部１２０は６つ形成されている。
【００４３】
複数の収容部１１０は、複数の直管ランプ４００と１対１に対応して設けられており、複数の収容部１１０の各々には、各直管ランプ４００の長手方向の端部が収容される。本実施の形態では、図４Ａに示すように、収容部１１０には、直管ランプ４００の第１口金４２０が収容される。なお、図４Ｂに示すように、ランプ保持体２００の収容部１１０には、直管ランプ４００の第２口金４３０が収容される。
【００４４】
各収容部１１０は、直管ランプ４００の管軸と交差する所定形状の開口面である第１開口面１１０ａと、第１開口面１１０ａに連続するとともに第１開口面１１０ａと交差する所定形状の開口面である第２開口面１１０ｂとを有する。本実施の形態において、第１開口面１１０ａは、矩形状の開口であり、直管ランプ４００の管軸と直交している。また、第２開口面１１０ｂは、矩形状の開口であり、第１開口面１１０ａと直交している。つまり、第１開口面１１０ａと第２開口面１１０ｂとは、直角に交差しており、断面Ｌ字状の連続した開口である。
【００４５】
また、各収容部１１０は、第１口金４２０の本体部４２１又は第２口金４３０の本体部４３１が当接可能な第１平面部（当接平面部）１１１を有しており、第１口金４２０の本体部４２１又は第２口金４３０の本体部４３１は、第１平面部１１１と第１開口面１１０ａとの間の領域に収まるように配置される。
【００４６】
さらに、収容部１１０は、底面部１１２を有しており、第１口金４２０の本体部４２１又は第２口金４３０の本体部４３１は、底面部１１２と第２開口面１１０ｂとの間の領域にも収まるように配置されている。
【００４７】
第１平面部１１１の表面（直管ランプ４００側の面）は、第１口金４２０の本体部４２１又は第２口金４３０の本体部４３１における直管ランプ４００の管軸方向の端面を受ける平面（受け面）である。例えば、管軸方向の衝撃を受けたときに直管ランプ４００は管軸方向に動くことになるが、このときに、第１口金４２０の本体部４２１（又は第２口金４３０の本体部４３１）における管軸方向の端面（口金面）が第１平面部１１１の表面（包装面）に当接することになる。つまり、第１平面部１１１によって、第１口金４２０又は第２口金４３０の衝撃を受けることになる。この場合、第１平面部１１１と本体部４２１（又は本体部４３１）とは面接触することになる。第１平面部１１１と本体部４２１（又は本体部４３１）とが接触する場合であっても、第１平面部１１１の表面には、第１口金４２０の口金ピン４２２又は第２口金４３０の口金ピン４３２は当接していない。
【００４８】
なお、第１平面部１１１と第１口金４２０の本体部４２１（又は第２口金４３０の本体部４３１）とは常に接触している必要はなく、第１平面部１１１と本体部４２１（又は本体部４３１）との間には隙間があってもよい。例えば、第１平面部１１１と本体部４２１（又は４３１）との間に隙間が存在するように設計してもよい。これにより、衝撃時に直管ランプ４００が移動しても第１平面部１１１によって第１口金４２０（又は第２口金４３０）の衝撃を受けることができる。
【００４９】
あるいは、第１平面部１１１と本体部４２１（及び本体部４３１）との間の隙間をなくして、第１平面部１１１と本体部４２１（及び本体部４３１）とが常に接触するようにしてもよい。これにより、直管ランプ４００を管軸方向から挟持することが可能となるので、管軸方向においてガタつくことなく直管ランプ４００を保持することができる。
【００５０】
また、各収容部１１０は、第１平面部１１１に連続して形成された第２平面部１１３を有している。第２平面部１１３は、第１平面部１１１から口金側とは反対側（ランプ保持体１００の正面側から背面側に向かう方向）に折れ曲がるように形成されている。本実施の形態において、第１平面部１１１と第２平面部１１３とは、直角に交差しており、断面Ｌ字状となるように連続して形成されている。
【００５１】
図５Ａ及び図５Ｃに示すように、第２平面部１１３は、第２開口面１１０ｂを臨むように形成されている。つまり、第２平面部１１３の表面（上面）は、第２開口面１１０ｂに対面しており、第２開口面１１０ｂから露出している。なお、第２平面部１１３は、第１仕切り部１２１及び連結部１３０の厚みの分だけ、第１仕切り部１２１及び連結部１３０と段差状になっている。
【００５２】
また、収容部１１０には、第１平面部１１１と第２平面部１１３とを跨ぐようにスリット１４０が形成されている。スリット１４０は、断面Ｌ字状に切り欠かれた開口である。本実施の形態において、各収容部１１０には、１つのスリット１４０が鉛直下方に向かって（第２開口面１１０ｂから底面部１１２に向かう方向に）長尺状に形成されている。
【００５３】
そして、図６に示すように、第１口金４２０の口金ピン４２２が、第２開口面１１０ｂを通過してランプ保持体１００のスリット１４０に挿通される。また、図７に示すように、第２口金４３０の口金ピン４３２が、第２開口面１１０ｂを通過してランプ保持体２００のスリット１４０に挿通される。これにより、第１口金４２０の口金ピン４２２及び第２口金４３０の口金ピン４３２は、スリット１４０を介して第１平面部１１１から突出するようにして収容部１１０に収納される。
【００５４】
このように、スリット１４０を鉛直下方に向かって長尺状に形成することによって、直管ランプ４００の両端部の口金ピンの本数が異なっていたとしても、直管ランプ４００を一対のランプ保持体１００及び２００に同時に配置することができる。
【００５５】
例えば、図６に示すように口金ピン４２２が１本で、図７に示すように口金ピン４３２が２本（一対）の場合には、一対の口金ピン４３２の並び方向とランプ保持体２００におけるスリット１４０の長手方向とが一致するように（つまり縦方向に）一対の口金ピン４３２をスリット１４０に挿入すればよい。これにより、ランプ保持体１００のスリット１４０に口金ピン４２２を挿入する（図６）と同時に、ランプ保持体２００のスリット１４０に口金ピン４３２を挿入（図７）できる。したがって、直管ランプ４００を一対のランプ保持体１００及び２００に同時に配置することができる。
【００５６】
また、図５Ａに示すように、複数の収容部１１０は、直管ランプ４００の並び方向に連通している。つまり、隣り合う収容部１１０（収容空間）は、直管ランプ４００の並び方向において空間的に繋がっている。本実施の形態において、全ての収容部１１０は、１つに繋がっており、１つの連続した空間領域（収容領域）を構成している。
【００５７】
図５Ａ〜図５Ｄに示すように、仕切り部１２０は、隣り合う収容部１１０の間に形成されており、表面が第２開口面１１０ｂと同一面の平面である第１仕切り部１２１と、表面が第１開口面１１０ａと同一面の平面である第２仕切り部１２２とを有する。本実施の形態において、第１仕切り部１２１及び第２仕切り部１２２の各々は長尺矩形の板状部材であり、第１仕切り部１２１と第２仕切り部１２２とは直角に交差している。つまり、仕切り部１２０は、断面Ｌ形状に連続したＬ字状板部材である。
【００５８】
第１仕切り部１２１は連結部１３０によって連結されている。第１仕切り部１２１と連結部１３０とは、櫛形の平面部として、ランプ保持体１００の上面部を構成している。第１仕切り部１２１及び連結部１３０の表面は、ランプ保持体１００の上面であって、平坦面である。これにより、１つのランプ保持体１００の上に、他のランプ保持体１００を容易に載置することができるので、簡単にランプ保持体１００を多段に積み重ねることができる。
【００５９】
第２仕切り部１２２の側部は、直管ランプ４００の筐体４１０に対向している。つまり、直管ランプ４００（筐体４１０）は、隣り合う第２仕切り部１２２の間に位置している。本実施の形態において、隣り合う第２仕切り部１２２の各々には、第１開口面１１０ａの幅を狭めるように互いに突出するように突出部１２２ａが形成されており、直管ランプ４００（筐体４１０）は、一方の第２仕切り部１２２の突出部１２２ａと他方の第２仕切り部１２２の突出部１２２ａとの間に位置している。
【００６０】
第２仕切り部１２２は、直管ランプ４００（筐体４１０）の側面（円筒面）を受ける受け部である。例えば、直管ランプ４００の管軸方向（長手方向）に直交する短手方向に衝撃を受けたときに直管ランプ４００は短手方向に動くことになるが、このときに、筐体４１０の側面が第２仕切り部１２２の突出部１２２ａに当接することになる。つまり、第２仕切り部１２２によって筐体４１０の衝撃を受けることになる。この場合、第２仕切り部１２２の突出部１２２ａと筐体４１０とは接触することになる。
【００６１】
なお、第２仕切り部１２２と筐体４１０とは常に接触している必要はなく、第２仕切り部１２２と筐体４１０との間には隙間があってもよい。例えば、第２仕切り部１２２と筐体４１０との間に隙間が存在するように設計してもよい。これにより、衝撃時に直管ランプ４００が移動しても第２仕切り部１２２によって直管ランプ４００の衝撃を受けることができる。
【００６２】
あるいは、第２仕切り部１２２と筐体４１０との間の隙間をなくして、直管ランプ４００（筐体４１０）が隣り合う第２仕切り部１２２に常に挟持されていてもよい。具体的には、直管ランプ４００（筐体４１０）が対向する２つの第２仕切り部１２２の一方の突出部１２２ａと他方の突出部１２２ａとに常に挟持されていてもよい。これにより、直管ランプ４００を短手方向から挟持することができるので、短手方向においてガタつくことなく直管ランプ４００を保持することができる。
【００６３】
ランプ保持体１００は、以上にように構成されている。このように構成されるランプ保持体１００は、図８に示すような一枚の板状部材１００ｓを所定の手順で折り曲げることによって、図５Ａ〜図５Ｂに示すような所定形状に成形することができる。図８は、本発明の実施の形態１に係るランプ保持体の展開図である。なお、図８において、破線は、山折りする箇所を示しており、一点鎖線は、谷折りする箇所を示している。
【００６４】
ランプ保持体１００を構成する板状部材１００ｓとしては、例えば、所定形状にカットされた一枚の段ボールシート（段ボール材）を用いることができる。
【００６５】
そして、図８に示すような一枚の板状部材１００ｓを、図９及び図１０に示される手順で順次折り曲げていくことによって、図５Ａ〜図５Ｂに示される構造のランプ保持体１００を作製することができる。なお、図９及び図１０において、左側の図は、各折り曲げ工程の平面図を示しており、右側の図は、各折り曲げ工程の側面図を示している。
【００６６】
このように、複数の部材ではなく一枚の板状部材によってランプ保持体１００を作製することによって、低コストのランプ保持体１００を実現できる。
【００６７】
［まとめ］
本実施の形態に係るランプ保持体１００によれば、複数の直管ランプ４００の各々の長手方向の端部が収容される複数の収容部１１０を備えており、かつ、ランプ保持体１００の上面である第１仕切り部１２１の表面が平面（平坦面）となっている。
【００６８】
この構成により、複数のランプ保持体１００を容易に積み重ねることができる。したがって、複数の直管ランプ４００が収容されたランプ保持体１００を簡単に多段積みできるので、多くの直管ランプ４００を簡単に集合包装することが可能となる。
【００６９】
さらに、収容部１１０は、直管ランプ４００の管軸と交差する開口面である第１開口面１１０ａと、第１開口面１１０ａに連続するとともに第１開口面１１０ａと交差する開口面である第２開口面１１０ｂとを有する。
【００７０】
この構成により、直管ランプ４００の長手方向の端部（本実施の形態では第１口金４２０及び第２口金４３０）をランプ保持体１００の収容部１１０に収容させる際、第２開口面１１０ｂから鉛直下方に向かって直管ランプ４００を移動させればよい。つまり、直管ランプ４００を管軸方向に動かすことなく、第１口金４２０及び第２口金４３０を収容部１１０に収容させることができる。これにより、箱体３００にランプ保持体１００を配置した後に、直管ランプ４００をランプ保持体１００に配置することができる。つまり、上から下に向かってランプ保持体１００と複数の直管ランプ４００とを交互に繰り返して配置するだけで、複数の直管ランプ４００を容易に多段積みすることができる。
【００７１】
以上、本実施の形態に係るランプ保持体１００及び集合包装体１によれば、上記のような簡易な構成によって、複数の直管ランプを簡単に集合包装することができる。
【００７２】
また、本実施の形態において、収容部１１０には、第１口金４２０の本体部４２１（又は第２口金４３０の本体部４３１）が当接可能な第１平面部１１１が形成されており、第１平面部１１１は、本体部４２１（又は本体部４３１）における長手方向の端面を受けるように構成されている。
【００７３】
この構成により、管軸方向の衝撃を受けて直管ランプ４００が管軸方向に動いたときに、第１平面部１１１によって、第１口金４２０又は第２口金４３０の衝撃を受けることができる。しかも、この場合、ランプ保持体１００及び２００において、第１平面部１１１は、口金ピン４２２又は口金ピン４３２ではなく、本体部４２１又は本体部４３１の端面を受けている。つまり、第１平面部１１１の表面には口金ピン４２２又は４３２が接触していない。したがって、第１平面部１１１からの応力によって口金ピン４２２又は４３２が変形してしまうことも防止できる。
【００７４】
また、本実施の形態において、第１平面部１１１と第２平面部１１３とを跨ぐようにスリット１４０が形成されており、スリット１４０には、第２開口面１１０ｂを介して口金ピン４２２又は４３２が挿通される。
【００７５】
この構成により、口金ピン４２２又は４３２を、スリット１４０を利用して第１平面部１１１から逃がすことができる。これにより、第１平面部１１１には、口金ピン４２２又は４３２を当接させることなく、本体部４２１又は本体部４３１の端面のみを容易に当接させることができる。したがって、第１平面部１１１からの応力によって口金ピン４２２又は４３２が変形することを簡単に防止できる。
【００７６】
また、本実施の形態において、スリット１４０は鉛直下方に向かって長尺状に形成されており、図７に示すように、一対の口金ピン４３２は、当該一対の口金ピン４３２の並び方向とスリット１４０の長手方向とが一致するようにスリット１４０に挿入される。
【００７７】
この構成により、直管ランプ４００のランプ保持体１００及び２００への出し入れを容易に行うことができる。また、一方のランプ保持体１００と他方のランプ保持体２００とを同じ形状のものを用いることができる。
【００７８】
なお、上記のスリット１４０を設けることにより、本実施の形態におけるランプ保持体１００は、２つの口金における口金ピンの両方が２本の場合であっても、同じ形状のものを用いることができる。つまり、本実施の形態におけるランプ保持体１００は、２つの口金同士の口金ピンの本数が同じであっても異なっていても対応することができ、口金ピンの本数によらず適用可能である。
【００７９】
これにより、口金構造の異なる直管ランプを１つの箱体３００内に収納する場合や、箱体３００ごとに口金構造の異なる直管ランプを収納する場合であっても、同じ形状のランプ保持体１００のみで直管ランプを保持することができる。したがって、部材の共用化を図ることができるので、部品点数を削減できる。
【００８０】
また、本実施の形態において、仕切り部１２０は、表面が第１開口面１１０ａと同一面の平面である第２仕切り部１２２を有しており、直管ランプ４００は、隣り合う第２仕切り部１２２の間に位置している。
【００８１】
このように、短手方向の衝撃を受けて直管ランプ４００が短手方向に動いたときに、第２仕切り部１２２によって直管ランプ４００（筐体４１０）の衝撃を受けることができる。
【００８２】
さらに、本実施の形態では、第２仕切り部１２２に形成された突出部１２２ａによって直管ランプ４００（筐体４１０）が挟まれている。
【００８３】
これにより、直管ランプ４００（筐体４１０）の衝撃を吸収することができる。特に、ランプ保持体１００は段ボールシートで構成されているので、直管ランプ４００（筐体４１０）を第１開口面１１０ａに挿入することで突出部１２２ａが容易に変形する。したがって、直管ランプ４００（筐体４１０）に不要な応力を与えることなく、直管ランプ４００を強固に保持することができる。
【００８４】
また、本実施の形態では、ランプ保持体１００の背面が箱体３００の側面板３２１に当接しており、ランプ保持体１００の側面が箱体３００の側面板３２３及び３２４に当接している。さらに、ランプ保持体２００の背面が箱体３００の側面板３２２に当接しており、ランプ保持体１００の側面が箱体３００の側面板３２３及び３２４に当接している。つまり、ランプ保持体１００及び２００は箱体３００に嵌め込まれた構成となっている。
【００８５】
これにより、箱体３００の側面板３２３及び３２４によってランプ保持体１００及び２００の動きが規制される。したがって、１つのランプ保持体１００に収納する直管ランプ４００が、１つのランプ保持体１００に保持できる最大本数に満たない場合であっても、ダミーの直管ランプを用いる必要がない。このため、必要な本数の直管ランプ４００だけを簡易に箱体３００に収納することができる。
【００８６】
（実施の形態２）
次に、本発明の実施の形態２に係るランプ保持体１００Ａについて、図１１及び図１２を用いて説明する。図１１は、本発明の実施の形態２に係るランプ保持体の展開図であり、図１２は、図１１に示す板状部材を折り曲げて同ランプ保持体を作製する際の一部の工程を示す図である。なお、図１２では、図１０の（ａ２）及び（ｂ２）の工程に対応する図である。
【００８７】
本実施の形態におけるランプ保持体１００Ａについても、一枚の板状部材（段ボールシート）１００Ａｓを所定の手順で折り曲げることによって所定形状に成形することができ、図９及び図１０に示される実施の形態１におけるランプ保持体１００の作製手順と同様にして作製することができる。
【００８８】
本実施の形態におけるランプ保持体１００Ａが実施の形態１におけるランプ保持体１００と異なる点は、本実施の形態では、第１平面部１１１の背面に第３平面部（補強平面部）１１４が位置するように段ボールシート（板状部材）が折り曲げられている点である。つまり、直管ランプ４００の管軸方向において、段ボールシートが２重になっている。なお、第３平面部１１４と第１平面部１１１とは面接触している。
【００８９】
また、スリット１４０（不図示）は、第１平面部１１１だけではなく第３平面部１１４にも形成されており、口金ピン４２２及び４３２は、第１平面部１１１及び第３平面部１１４を貫通するようにスリット１４０に挿通される。
【００９０】
以上、本実施の形態に係るランプ保持体１００Ａによれば、実施の形態１と同様の効果が得られる。
【００９１】
さらに、本実施の形態では、第１平面部１１１の背面に第３平面部１１４が形成されているので、直管ランプ４００の管軸方向（口金ピン４２２を挿通する方向）における第１平面部１１１の剛性を高めることができる。つまり、ランプ保持体１００Ａにおける直管ランプ４００の長手方向の端部（第１口金４２０の本体部４２１及び第２口金４３０の本体部４３１）が当接する部分の機械的強度を向上させることができる。これにより、実施の形態１と比べて、直管ランプ４００をさらに強固に保持することができる。
【００９２】
（変形例）
次に、本発明の実施の形態に係る集合包装体の２つの変形例について説明する。
【００９３】
（変形例１）
図１３は、変形例１に係る集合包装体の構成を示す平面図であり、天面板を開いた状態を示している。
【００９４】
図１３に示すように、本変形例における集合包装体２は、図２に示される集合包装体１において、複数の直管ランプ４００を覆う板状の緩衝材５０１を備えるものである。緩衝材５０１は、例えば、箱体３００の開口と同じ大きさの矩形状のシートであり、箱体３００と同じ段ボールシートを用いることができる。
【００９５】
箱体３００の中央部は、外部から押さえつけられる力に弱いので、外部からの衝撃等によって箱体３００内の直管ランプ４００が破損するおそれがある。特に、直管ランプ４００の筐体４１０がガラス管の場合には、衝撃等によって筐体４１０にクラックやひび割れが生じやすい。
【００９６】
これに対して、本変形例のように緩衝材５０１を設けることによって、緩衝材５０１が補強用の天地板（補強クッション）として機能するので、外部からの衝撃等によって直管ランプ４００が破損することを抑制できる。
【００９７】
（変形例２）
図１４Ａは、変形例２に係る集合包装体３の構成を示す平面図であり、天面板を開いた状態を示している。図１４Ｂは、変形例２に係る集合包装体３において、直管ランプ４００を緩衝材で覆うときの様子を示す断面図（断面部分のみ）である。
【００９８】
図１４Ａ及び図１４Ｂに示すように、本変形例における集合包装体３は、図２に示される集合包装体１において、複数の直管ランプ４００を包囲する緩衝材５０２を備えるものである。緩衝材５０２は、例えば、直管ランプ４００を囲むように、矩形状の段ボールシートを複数回折り曲げることによって形成することができる。
【００９９】
このように、緩衝材５０２を設けることによって、変形例１と同様に、緩衝材５０２が補強用の胴巻き（補強クッション）として機能するので、外部からの衝撃等によって直管ランプ４００が破損することを抑制できる。変形例１と同様に、特に直管ランプ４００の筐体４１０がガラス管の場合に効果的である。
【０１００】
（その他）
以上、本発明に係るランプ保持体及び集合包装体について、実施の形態１、２及び変形例に基づいて説明したが、本発明は、上記の実施の形態１、２及び変形例に限定されるものではない。
【０１０１】
例えば、上記の実施の形態及び変形例では、１枚の板状部材を折り曲げることによってランプ保持体１００を作製したが、複数の板状部材を組み合わせることによってランプ保持体１００を作製してもよい。
【０１０２】
また、上記の実施の形態及び変形例では、直管ランプ４００には第１口金４２０及び第２口金４３０が設けられているが、第１口金４２０及び第２口金４３０は必ずしも必要ではない。
【０１０３】
また、上記の実施の形態及び変形例では、第２仕切り部１２２は、直管ランプ４００の筐体４１０に接触するように構成したが、第２仕切り部１２２は、第１口金４２０の本体部４２１又は第２口金４３０の本体部４３１に接触するように構成してもよい。つまり、本体部４２１又は本体部４３１が隣り合う第２仕切り部１２２（突出部１２２ａ）に挟持されていてもよい。
【０１０４】
その他、実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【０１０５】
１、２、３  集合包装体
１００、１００Ａ、２００  ランプ保持体
１００ｓ、１００Ａｓ  板状部材
１１０  収容部
１１０ａ  第１開口面
１１０ｂ  第２開口面
１１１  第１平面部
１１２  底面部
１１３  第２平面部
１１４  第３平面部
１２０  仕切り部
１２１  第１仕切り部
１２２  第２仕切り部
１２２ａ  突出部
１３０  連結部
１４０  スリット
３００  箱体
３１０  底面板
３２１〜３２４  側面板
３３１〜２３４  天面板
４００  直管ランプ
４１０  筐体
４２０  第１口金
４２１、４３１  本体部
４２２、４３２  口金ピン
４３０  第２口金
５０１、５０２  緩衝材
【図１】
2015077989.tif 000003
【図２】
2015077989.tif 000004
【図３】
2015077989.tif 000005
【図４Ａ】
2015077989.tif 000006
【図４Ｂ】
2015077989.tif 000007
【図５Ａ】
2015077989.tif 000008
【図５Ｂ】
2015077989.tif 000009
【図５Ｃ】
2015077989.tif 000010
【図５Ｄ】
2015077989.tif 000011
【図６】
2015077989.tif 000012
【図７】
2015077989.tif 000013
【図８】
2015077989.tif 000014
【図９】
2015077989.tif 000015
【図１０】
2015077989.tif 000016
【図１１】
2015077989.tif 000017
【図１２】
2015077989.tif 000018
【図１３】
2015077989.tif 000019
【図１４Ａ】
2015077989.tif 000020
【図１４Ｂ】
2015077989.tif 000021